(57)【要約】【課題】コード収納ボックスにコードの余剰部分を収納可能とすることにより，各コード整理を容易とし，コードのもつれ，絡みを防止し，コード周辺の掃除もし易く，美観もよくする。【解決手段】ケース１０と，ケース内の一側面側に設けられ，複数のジャック２１を有するコンセント部２０と，ケース内にコンセント部に対向して設けられ，コンセント部にプラグを接続するコードを収納するコード収納ボックス１０と，ケースのコード収納ボックス側の側面に形成され，コードを通すコード挿入孔１２とを備えた。【選択図】    図１
2005116325.tif 000002
【特許請求の範囲】
【請求項１】
ケースと，
前記ケース内の一側面側に設けられ，複数のジャックを有するコンセント部と，
前記ケース内に設けられ，前記コンセント部に接続するコードを収納するコード収納ボックスと，
前記ケースの前記コード収納ボックス側の側面に形成され，前記コードを通すコード挿入孔と，
を備えることを特徴とするコンセント。
【請求項２】
前記コンセント部のジャックは，このコンセント部に電源を供給するための電源ジャックと，供給される電源を分岐させる分岐ジャックを含むことを特徴とする請求項１に記載のコンセント。
【請求項３】
前記コンセント部のジャックは，接続コードを接続する接続コードジャックを含むことを特徴とする請求項１又は２に記載のコンセント。
【請求項４】
前記コード収納ボックスの内部に，前記ジャックに接続するコードを巻付けるための巻付手段をさらに含むことを特徴とする請求項１〜３のいずれかに記載のコンセント。
【請求項５】
前記巻付手段は，前記コード収納ボックス内に離間して設けられ，コードを巻付ける一対の突出棒からなることを特徴とする請求項４に記載のコンセント。
【請求項６】
前記ケースは，前記コード収納ボックスを開閉自在なカバーをさらに設けたことを特徴とする請求項１〜５のいずれかに記載のコンセント。
【請求項７】
前記コード挿入孔は，一端が開口するＵ字型であり，前記ケースを閉じることにより前記一端の開口も閉じることを特徴とする請求項６のいずれかに記載のコンセント。
【請求項８】
前記コンセント部の各ジャックは，前記コード収納ボックス側に配置されることを特徴とする請求項１〜７のいずれかに記載のコンセント。
【請求項９】
前記コンセント部には，前記電源ジャック及び前記分岐ジャックの電源を接続したり，遮断したりするスイッチをそれぞれ設けたことを特徴とする請求項２に記載のコンセント。
【請求項１０】
前記コンセント部は，前記各スイッチに対応して設けられ，前記各スイッチの通電状態を表示するための表示ランプを備えたことを特徴とする請求項９に記載のコンセント。
【発明の詳細な説明】
【技術分野】
【０００１】
本発明は，コンセントにかかり，より詳細にはコード収納ボックスを備えたコンセントに関する。
【背景技術】
【０００２】
一般に，コンセントには，例えば電気機器などへの電源供給のためにプラグを差し込むジャックが形成されている。最近は様々な電気機器が使用されていることから，複数のジャックが備えられたタップコンセントが採用されている。このようなタップコンセントは，主にコンピュータなどの電気機器のように多くの電源を必要とするところに用いられる。
【発明の開示】
【発明が解決しようとする課題】
【０００３】
しかしながら，電気機器の各電源コードは長さが異なる場合が多いので，従来のタップコンセントでは，各コードがもつれ絡まって，電気機器のコード整理がし難いという問題があった。
【０００４】
また各コードが邪魔でその周辺のチリや埃を掃除しにくくなるとともに，美観上もよくないという問題点があった。
【０００５】
そこで，本発明は，このような問題に鑑みてなされたもので，その目的とするところは，各コード整理が容易で，コード周辺の掃除もし易く，美観もよくすることができるコンセントを提供することにある。
【課題を解決するための手段】
【０００６】
上記課題を解決するために，本発明によれば，ケースと，前記ケース内の一側面側に設けられ，複数のジャックを有するコンセント部と，前記ケース内に設けられ，前記コンセント部に接続するコードを収納するコード収納ボックスと，前記ケースの前記コード収納ボックス側の側面に形成され，前記コードを通すコード挿入孔とを備えることを特徴とするコンセントが提供される。
【０００７】
上記コンセント部のジャックは，例えばコンセント部に電源を供給するための電源ジャックと，供給される電源を分岐させる分岐ジャックを有してもよく，さらに電話コード，ＬＡＮケーブル，光ファイバケーブルなどの接続コードを接続する接続コードジャックとを含むようにしてもよい。
【０００８】
このような本発明によれば，コンセント部のジャックに接続したコードの余剰部分をコード収納ボックスに収納することができるので，各コード整理が容易で，コード周辺の掃除もし易く，美観もよくすることができる。
【０００９】
また，上記コード収納ボックスの内部に，前記ジャックに接続するコードを巻付けるための巻付手段をさらに含むようにしてもよい。巻付手段は，例えばコード収納ボックス内に離間して設けられ，コードを巻付ける一対の突出棒で構成してもよい。これによれば，コンセント部のジャックに接続したコードの余剰部分をより容易に，かつ綺麗に収納することができる。
【００１０】
また，上記ケースは，前記コード収納ボックスを開閉自在なカバーをさらに設けるようにしてもよい。また，前記コード挿入孔は，一端が開口するＵ字型であり，前記ケースを閉じることにより前記一端の開口も閉じるようにしてもよい。これによれば，カバーを開けば，コード挿入孔の開口部からコードを挿入し，コード挿入孔の開口部をカバーで閉じることができる。これにより，コードの出し入れが容易となる。
【００１１】
また，上記コンセント部の各ジャックは，前記コード収納ボックス側に配置されるようにしてもよい。このように配置することにより，各ジャックに接続されたコードをコード収納ボックスに収納し易くなる。
【００１２】
また，上記コンセント部には，前記電源ジャック及び前記分岐ジャックの電源を接続したり，遮断したりするスイッチをそれぞれ設けてもよい。これにより，電源ジャック及び前記分岐ジャックへの電源の接続，遮断を容易に行うことができる。
【００１３】
また，上記コンセント部には，前記各スイッチに対応して設けられ，前記各スイッチの通電状態を表示するための表示ランプを備えるようにしてもよい。これにより，各スイッチの通電状態を容易に検知することができる。
【発明の効果】
【００１４】
本発明によれば，コード収納ボックスにコードの余剰部分を収納することができるので，各コード整理が容易となる。また，コードのもつれ，絡みを防止することができ，コード周辺の掃除もし易く，美観もよくすることができる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
本発明の実施形態に係るコンセントを図１〜図４を参照しながら説明する。図１は本実施形態に係るコンセントのカバーを開けた状態の斜視図である。図２はコンセントに設けられたコード収納ボックスにコードが収納された状態におけるコンセントを上方から見た場合の図である。図３はコード収納ボックスにコードが収納された状態におけるコンセントの側断面図である。図４は本実施形態に係るコンセントの変形例である。
【００１７】
図１に示すように，本実施形態に係るコンセントは，ケース１０内に設けられたコンセント部２０とコード収納ボックス１１，コード収納ボックス１１に設けられた巻付手段を備える。以下，各構成要素を具体的に説明する。
【００１８】
上記ケース１０は例えば矩形に形成される。なお，ケース１０の形状は必ずしもこれに限られない。ケース１０の内部には，コンセント部２０に接続するコードを収納するコード収納ボックス１１が形成されている。コード収納ボックス１１が形成されるケース１０の一側面には，コードを貫通して挿入させるコード挿入孔１２が形成されている。コード挿入孔１２は例えば一端が開口するＵ字型の溝のように構成することが好ましい。そして，後述するカバー１３を閉じることにより，コード挿入孔１２の一端の開口も閉じる。これにより，コードを出し入れし易くなる。なお，コード挿入孔１２の孔形状は必ずしもこれに限られない。
【００１９】
コンセント部２０は，ケース１０においてコード収納ボックス１１が形成されている一側面に対向する他側面の内面側に形成されている。コンセント部２０には，本実施形態に係るコンセントへ供給される電源を分岐させて電気機器を使用するための複数の分岐ジャック２１が設けられている。これら分岐ジャック２１は，コード収納ボックス１１側に向けて配置される。
【００２０】
また，コンセント部２０には，本実施形態に係るコンセントへ電源を供給するコンセント本体側電源コード（電源供給用電源コード）を接続する電源ジャック２２を形成してもよい。電源ジャック２２についても，コード収納ボックス１１側に向けて配置される。なお，本実施形態に係るコンセントへ電源を供給するコンセント本体側電源コードは，図４に示すコンセント本体側電源コード２３のように，コンセント部２０に直接接続してもよい。
【００２１】
また，上記電源ジャック２２及び分岐ジャック２１は，上述したようにケース１０の一側面すなわちコード収納ボックス１１に対向する側面に設置することが好ましいが，必ずしもこの配置に限定されるものではない。
【００２２】
このようなコード収納ボックス１１を設けることにより，コードの余剰部分を収納することができる。
【００２３】
また，コード収納ボックス１１には，巻付手段をさらに設置することもできる。この巻付手段はコンセント部２０の各ジャック２１，２２に接続するプラグに接続されたコードの余剰部分を巻き取るためのものである。巻付手段は例えばコード収納ボックス１１に離間して配設された一対の突出棒３０から構成される。一方の突出棒３０は各ジャック２１，２２側に設けられ，他方の突出棒３０はコード挿入孔１２側に設けられる。図２，図３に示すように，これら一対の突出棒３０にコードを巻付けることができる。これにより，コード収納ボックス１１にコードを簡単に収納することができる。
【００２４】
コンセント部２０には，図１に示すように上記電源ジャック２２及び分岐ジャック２１の他に，例えば電話コード，ＬＡＮ（Local Area Network）ケーブル，光ファイバケーブルなど電気機器に接続する接続コードを接続する接続コードジャックを配設してもよい。具体的には図１に示すように電話コードを接続する電話コードジャック２４，ＬＡＮケーブルを接続するＬＡＮケーブルジャック２５を配設する。
【００２５】
なお，電話コードジャック２４及びＬＡＮケーブルジャック２５は，外部例えば壁などに配設された設置コンセントなどに接続するコードやケーブルを接続するためのジャックと，電気機器に接続するコードやケーブルを接続するためのジャックとを別個に設けられる。これら別個に設けられたジャックはコンセント部内で接続されている。また，電話コードジャック２４及びＬＡＮケーブルジャック２５は，上述した分岐ジャック２１などと同様にケース１０の一側面すなわちコード収納ボックス１１に対向する側面に設置することが好ましいが，必ずしもこの配置に限定されるものではない。
【００２６】
ケース１０におけるコード収納ボックス１１の側面例えばコンセント部２０が形成された側面に直交する側面の上縁部には，カバー１３の一方の側端部がコード収納ボックス１１に対して回動自在に枢支されている（例えばヒンジ結合されている）。ケース１０のおけるコード収納ボックス１１のカバー１３が枢支された側面と対向する側面には，カバー１３の枢支されている側端部とは反対側の他方の側端部に形成された係止突起１４を係止する係止溝１５が形成されている。
【００２７】
また，コンセント部２０の上部には電源ジャック２２や分岐ジャック２１の電源を接続したり，遮断したりするスイッチ２６が形成され，コンセント部２０の上部には各スイッチ２６の通電状態を表示するＬＥＤなどで構成された表示ランプ２７が設けられている。例えばスイッチ２６が通電状態（電源接続状態）にある場合には表示ランプ２７が点灯し，スイッチ２６が遮断状態にある場合には表示ランプ２７が消灯するようにしてもよい。
【００２８】
次に，本実施形態に係るコンセントの作用を説明する。例えば壁などに設置された設置コンセント（図示せず）から引き出されたコンセント本体側電源コードを，本実施形態に係るコンセントに接続する。例えば図１に示すように構成された本実施形態に係るコンセントであれば，コード収納ボックス１１の電源ジャック２２にコンセント本体側電源コードのプラグを接続することができる。また，図４に示すようにコンセント本体側電源コード２３がコンセントに直接接続されたものであれば，そのコンセント本体側電源コードのプラグを設置コンセントへ接続するようにしてもよい。
【００２９】
各コード収納ボックス１１のジャック２１，２２に接続された各電源コードはスイッチ２６で接続したり，遮断したりすることができ，各スイッチ２６の通電状態すなわち各電源コードの印加状態は対応する表示ランプ２７に表される。
【００３０】
また，各電気機器に接続されたコード例えば電気機器側電源コードを，コード収納ボックス１１のコード挿入孔１２に通した後，コードの端部のプラグを分岐ジャック２１等に差し込むとともに，コードの余剰部分をコード収納ボックス１１の突出棒３０に巻付ける。なお，コードは，突出棒３０に巻付けてからプラグを分岐ジャック２１等に差し込むようにしてもよい。
【００３１】
また，電話コード及びＬＡＮケーブルも上記電気機器側コードと同様に，コード挿入孔１２を通過させて内部の突出棒３０に巻付けることができる。これにより，複数のコード（ケーブル）を簡単に整理することができる。
【００３２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００３３】
例えば，本実施形態では複数の分岐ジャックを備え，供給された電源を各分岐ジャックに分岐させることができるタップコンセントの機能を備えたコンセントに適用した場合について説明したが，必ずしもこれに限定されるものではなく，供給された電源を接続する分岐ジャックは単一であってもよい。例えば複数のジャックとして単一の分岐ジャックと接続コードジャックを備えるようにしてもよい。
【産業上の利用可能性】
【００３４】
本発明は，電気機器のコードなどを接続するコンセントに適用可能である。
【図面の簡単な説明】
【００３５】
【図１】本発明の実施形態に係るコンセントのカバーを開けた状態の斜視図である。
【図２】図１に示すコード収納ボックスにコードが収納された状態におけるコンセントを上方から見た場合の図である。
【図３】図１に示すコード収納ボックスにコードが収納された状態におけるコンセントの側断面図である。
【図４】本実施形態に係るコンセントの変形例を示す図であって，電源供給用電源コードがコンセントと一体化されたものを示す図である。
【符号の説明】
【００３６】
１０    ケース
１１    コード収納ボックス
１２    コード挿入孔
１３    カバー
１４    係止突起
１５    係止溝
２０    コンセント
２１    分岐ジャック
２２    電源ジャック
２３    電源コード
２４    電話コードジャック
２５    ＬＡＮケーブルジャック
２６    スイッチ
２７    表示ランプ
３０    突出棒
【図１】
2005116325.tif 000003
【図２】
2005116325.tif 000004
【図３】
2005116325.tif 000005
【図４】
2005116325.tif 000006